(57)【要約】【課題】電線の引き回しや取扱にかかる手間を軽減する。【解決手段】結線ボックス６の内部には４つのプラグコネクタ51が収納されている。各プラグコネクタ51は、それぞれ４つのコンタクト510を有している。そして、４つのコンタクト510のうちの２つが、図示しない電線を介して１台の電源装置40の正極側の出力端にそれぞれ接続され、残り２つのコンタクト510が、図示しない電線を介して当該電源装置40の負極側の出力端にそれぞれ接続されている。４台の電源装置40と７個のＬＥＤとを接続する複数本の電線が１本のケーブル５に纏められ、各電線の先端にそれぞれ電気接続部(プラグコネクタ51)が設けられている。そのため、照明器具１と電源ユニット４との間を複数の電線で接続する場合と比較して、電線の引き回しや取扱にかかる手間を軽減することができる。【選択図】        図１
2014183033.tif 000002
【特許請求の範囲】
【請求項１】
光源並びに前記光源を保持する本体を有する照明器具と、前記光源に点灯用の電力を供給する電源ユニットとを備え、
前記電源ユニットは、それぞれが前記電力を供給する複数の電源装置と、前記各電源装置の出力端に一端が接続された複数の電線と、前記電源装置並びに前記複数の電線の一部を収納するケースとを有し、
前記複数の電線は、前記ケースの外において絶縁材料製のシースで一括して覆われるとともに、前記照明器具と電気的に接続される電気接続部がそれぞれ先端に設けられることを特徴とする照明装置。
【請求項２】
一面が開口した有底筒状に形成されて前記電気接続部を内側に収める結線ボックスを備え、前記電気接続部と接続される複数の接続部と、一面が開口した有底筒状に形成されて前記複数の接続部を内側に収める電線収納部とを前記照明器具に備え、前記電線収納部の開口を塞ぐようにして前記結線ボックスが前記本体に取り付けられることを特徴とする請求項１記載の照明装置。
【請求項３】
前記ケースは、少なくとも一端側に開口する筒状のケース本体と、前記ケース本体の開口を閉塞する蓋部とを有し、前記蓋部は、前記電線が挿通される挿通孔と、外部から前記電源装置に給電するための給電線が挿通される挿通孔とが設けられることを特徴とする請求項１又は２記載の照明装置。
【発明の詳細な説明】
【技術分野】
【０００１】
本発明は、照明装置に関する。
【背景技術】
【０００２】
近年、従来の白熱ランプや放電ランプに代えてＬＥＤを光源とする照明装置が普及してきている。
【０００３】
例えば、特許文献１には、主に屋外で使用される照明装置であって、光源をＬＥＤとした投光器が開示されている。この種の投光器は、屋内のベース照明などに使用される照明装置と比較して非常に大きな光量を必要とする。そのため、ＬＥＤに電力を供給する電源ユニットも大型にならざるを得ない。
【０００４】
特許文献１記載の従来例では、ＬＥＤや反射鏡を備えた本体に電源ユニットを一体に設けているが、電源ユニットを本体と別体とすることも示唆されている。
【先行技術文献】
【特許文献】
【０００５】
【特許文献１】特開２０１１−１７５８６８号公報
【発明の概要】
【発明が解決しようとする課題】
【０００６】
ところで、本体と電源ユニットを別体とする場合、本体と電源ユニットを給電用の電線で接続する必要がある。さらに、本体が備えるＬＥＤの個数が増えるに従い、電源ユニットを構成する電源回路(ＡＣ／ＤＣコンバータ)の台数並びに電線の本数も増加する。そして、多数の電線で本体と電源ユニットを接続する場合、電線の引き回しや取扱に手間がかかるという問題がある。
【０００７】
本発明は、上記課題に鑑みて為されたものであり、電線の引き回しや取扱にかかる手間を軽減することを目的とする。
【課題を解決するための手段】
【０００８】
本発明の照明装置は、光源並びに前記光源を保持する本体を有する照明器具と、前記光源に点灯用の電力を供給する電源ユニットとを備え、前記電源ユニットは、それぞれが前記電力を供給する複数の電源装置と、前記各電源装置の出力端に一端が接続された複数の電線と、前記電源装置並びに前記複数の電線の一部を収納するケースとを有し、前記複数の電線は、前記ケースの外において絶縁材料製のシースで一括して覆われるとともに、前記照明器具と電気的に接続される電気接続部がそれぞれ先端に設けられることを特徴とする。
【０００９】
この照明装置において、一面が開口した有底筒状に形成されて前記電気接続部を内側に収める結線ボックスを備え、前記電気接続部と接続される複数の接続部と、一面が開口した有底筒状に形成されて前記複数の接続部を内側に収める電線収納部とを前記照明器具に備え、前記電線収納部の開口を塞ぐようにして前記結線ボックスが前記本体に取り付けられることが好ましい。
【００１０】
この照明装置において、前記ケースは、少なくとも一端側に開口する筒状のケース本体と、前記ケース本体の開口を閉塞する蓋部とを有し、前記蓋部は、前記電線が挿通される挿通孔と、外部から前記電源装置に給電するための給電線が挿通される挿通孔とが設けられることが好ましい。
【発明の効果】
【００１１】
本発明の照明装置は、複数の電線がケースの外において絶縁材料製のシースで一括して覆われるとともに、先端にそれぞれ電気接続部が設けられているので、電線の引き回しや取扱にかかる手間を軽減することができるという効果がある。
【図面の簡単な説明】
【００１２】
【図１】本発明に係る照明装置の実施形態を示し、(ａ)は照明器具と電源ユニットがケーブルで接続された状態の斜視図、(ｂ)は照明器具と電源ユニットがケーブルで接続されていない状態の斜視図である。
【図２】同上における電源ユニットの平面図である。
【図３】同上における電源ユニットの正面図である。
【図４】同上における電源ユニットの側面断面図である。
【図５】同上における電源ユニットの正面断面図である。
【図６】同上における照明器具の斜視図である。
【図７】同上における照明器具を示し、(ａ)は平面図、(ｂ)は側面図、(ｃ)は背面図である。
【発明を実施するための形態】
【００１３】
以下、本発明に係る照明装置の実施形態について、図１〜図７を参照して詳細に説明する。なお、本実施形態の照明装置は、屋外に設置される投光器であるが、これに限定する趣旨では無く、投光器以外の照明装置にも本発明の技術思想が適用可能である。
【００１４】
本実施形態の照明装置は、図１に示すように照明器具１、電源ユニット４、電源ケーブル５などを備える。ただし、以下の説明では、特に断りの無い限り、図１において上下左右前後の各方向を規定する。
【００１５】
照明器具１は、図６，図７に示すように光源であるＬＥＤ(図示せず)、ＬＥＤから放射される光を前方に反射する反射板(図示せず)、ＬＥＤ及び反射板を保持する器具本体２、器具本体２を支持する支持金具(アーム)３などで構成される。
【００１６】
器具本体２は、金属材料によって前面が開口する円錐台形状に形成されている。また、器具本体２の内底面に複数個(本実施形態では７個)のＬＥＤが取り付けられている。さらに、器具本体２の内側に反射板が取り付けられている。故に、各ＬＥＤから放射される光が直接、あるいは反射板に反射されて器具本体２前面の開口から前方へ照射される。なお、器具本体２の前面には、円環状の取付枠10により、円板状のガラス板からなるカバー11がパッキン(図示せず)を介して取り付けられている。
【００１７】
器具本体２の後面には、矩形平板状の多数の放熱フィン20が間隔を空けて立設されている。つまり、複数個のＬＥＤが発する熱を器具本体２に伝導し、放熱フィン20において空気中に放熱している。
【００１８】
また、器具本体２の後面には、後方に開口した角筒状の電線収納部23が一体に設けられている。電線収納部23内には４つのレセプタクルコネクタ(図示せず)が収納されている。各レセプタクルコネクタは、４つのコンタクト受けを有している。そして、４つのコンタクト受けのうちの２つが、図示しない電線を介して２個のＬＥＤのアノードにそれぞれ接続され、残り２つのコンタクト受けが、図示しない電線を介して当該２個のＬＥＤのカソードにそれぞれ接続されている。ただし、ＬＥＤの個数が７個であるから、４つのうちの１つのレセプタクルコネクタでは、２つのコンタクト受けが１個のＬＥＤのアノードとカソードにそれぞれ接続され、残り２つのコンタクト受けが何れのＬＥＤにも接続されない。
【００１９】
さらに、器具本体２の後面には、アーム３を回動自在に支持する一対の支持台21が左右両端に設けられている(図７参照)。支持台21は、軸方向を左右方向とする円柱状であって、底面の中央にねじ孔(図示せず)が形成されている。なお、左側の支持台21には円板状の角度表示板22が取り付けられている。この角度表示板22は、支持台21のねじ孔を中心とする角度の目盛り(図示せず)が刻印されており、器具本体２に対するアーム３の角度を前記目盛りから知ることができる。
【００２０】
アーム３は、固定板30と、固定板30の左右両端から斜め上向きに立ち上がる一対の腕片31と、各腕片31の先端から上向きに立ち上がる支持片32とが金属板によって一体に形成されてなる。
【００２１】
固定板30は、略中心に円形の固定孔300が貫通し、固定孔300よりも後方に、固定孔300を中心とする半円弧状の長孔301が貫通している。そして、固定孔300に挿通されるボルト(図示せず)と、長孔301に挿通されるボルト(図示せず)とで固定板30が照明台などに固定される。また、長孔301に挿通されるボルトを緩めることにより、アーム３の向き(照明器具１の向き)を略１８０度の範囲で変更することができる。
【００２２】
各支持片32は、先端部に円形の挿通孔(図示せず)が貫通している。故に、挿通孔に挿通したボルト33を支持台21のねじ孔にねじ止めすることにより、アーム３が器具本体２を回動自在に支持することかできる。
【００２３】
電源ユニット４は、図４に示すように４台の電源装置40、各電源装置40の出力端に一端が接続された複数(１４本)の電線(図示せず)、電源装置40並びに電線の一部を収納するケース41などを有する。各電源装置40は、商用の電力系統から給電線７を介して給電される交流電力を直流電力に変換する電力変換回路(図示せず)と、当該電力変換回路を内部に収納した筐体400とを有する。筐体400は、金属板を加工することで扁平な矩形箱状に形成されている。
【００２４】
ケース41は、前後の両端が開口した角筒状のケース本体410と、ケース本体410の開口を閉塞する２つの蓋部411，412とを有する。ケース本体410は、図５に示すように左右両側の内側面から、上下両側の内側面と対向する突条4100が前後方向に沿って突設されている。そして、これらの突条4100と上下両側の内側面との間に形成される隙間4101に、２枚の取付板42の端部がそれぞれ係止される。
【００２５】
取付板42は、前後方向に長い長方形状の金属板からなる。そして、各取付板42には、それぞれ２台の電源装置40が、一対の取付部材43を用いて前後方向に並ぶように固定される(図４及び図５参照)。つまり、一面側に２台の電源装置40が取り付けられた取付板42を前面側よりケース本体410内に挿入すると、取付板42の左右両端部が上側の一対の隙間4101若しくは下側の一対の隙間4101に係止される。そして、ケース本体410の外側より、複数のねじ44でねじ止めすることにより、各取付板42がケース本体410に固定される。
【００２６】
また、ケース本体410は、下面における前後両端に台座4102がそれぞれ突設されている。各台座4102には、矩形板状の固定金具45がそれぞれねじ止めされる。各固定金具45は、それぞれケース本体410の両端から前後方向に突出しており、その突出した部分にねじ挿通孔450が設けられている(図２参照)。そして、これらのねじ挿通孔450に挿通されるねじ(図示せず)により、図示しない被固定部位(照明台など)にねじ止めして固定される。
【００２７】
蓋部411，412は、金属板によって矩形平板状に形成されている。一方の蓋部411はケース本体410の前端部にねじ止めされ、他方の蓋部412はケース本体410の後端部にねじ止めされる。
【００２８】
前側の蓋部411は、ケーブル５が挿通される挿通孔(図示せず)と、給電線７が挿通される挿通孔(図示せず)とが貫通している。ケーブル５は、いわゆるケーブルグランド46によって蓋部411に固定されている。また、給電線７は、止め金具47によって蓋部411に固定されている。
【００２９】
ケーブル５は、16本の電線が絶縁材料(ビニル又はゴム)製のシースで一括して覆われた16心のキャブタイヤケーブルからなる。そして、これらの電線(図示せず)が各電源装置40の出力端にそれぞれ接続されている。
【００３０】
また、ケーブル５の先端には結線ボックス６が設けられている。結線ボックス６は、一面が開口し且つ開口端に外鍔60を有する有底筒状に形成されている。結線ボックス６の底面に貫通する貫通孔にケーブル５が挿通され、ケーブルグランド50によってケーブル５が結線ボックス６に固定されている。
【００３１】
結線ボックス６の内部には４つのプラグコネクタ51が収納されている。各プラグコネクタ51は、それぞれ４つのコンタクト510を有している(図３参照)。そして、４つのコンタクト510のうちの２つが、図示しない電線を介して１台の電源装置40の正極側の出力端にそれぞれ接続され、残り２つのコンタクト510が、図示しない電線を介して当該電源装置40の負極側の出力端にそれぞれ接続されている。ただし、４つのうちの１つのプラグコネクタ51では、２つのコンタクト510が１台の電源装置40の正極及び負極の各出力端に接続され、残り２つのコンタクト510が何れの電源装置40にも接続されない。
【００３２】
これら４つのプラグコネクタ51は、電線収納部23に収納されている４つのレセプタクルコネクタと各別に接続される。つまり、各プラグコネクタ51のコンタクト510と、各レセプタクルコネクタのコンタクト受けとが接触導通することにより、各電源装置40の出力端と各ＬＥＤのアノード及びカソードがケーブル５を介して電気的に接続される。
【００３３】
また、電線収納部23の後端面に形成される溝にパッキン24が嵌め込まれる(図１(ｂ)参照)。そして、結線ボックス６の外鍔60がパッキン24を介して電線収納部23の後端面にねじ止めされることにより、レセプタクルコネクタ及びプラグコネクタ51が、結線ボックス６と電線収納部23からなる密閉空間に収納される(図１(ａ)参照)。
【００３４】
上述のように本実施形態の照明装置では、４台の電源装置40と７個のＬＥＤとを接続する複数本の電線が１本のケーブル５に纏められ、各電線の先端にそれぞれ電気接続部(プラグコネクタ51)が設けられている。そのため、照明器具１と電源ユニット４との間を複数の電線で接続する場合と比較して、電線の引き回しや取扱にかかる手間を軽減することができる。
【００３５】
また、複数本の電線をコネクタで接続しているので、結線作業が簡単になるという利点がある。さらに、コネクタ(レセプタクルコネクタ及びプラグコネクタ51)を、電線収納部23と結線ボックス６からなる密閉空間に収納することにより、容易に防水性の向上を図ることができる。
【符号の説明】
【００３６】
１  照明器具
４  電源ユニット
５  ケーブル(電線，シース)
40  電源装置
41  ケース
51  プラグコネクタ(電気接続部)
【図１】
2014183033.tif 000003
【図２】
2014183033.tif 000004
【図３】
2014183033.tif 000005
【図４】
2014183033.tif 000006
【図５】
2014183033.tif 000007
【図６】
2014183033.tif 000008
【図７】
2014183033.tif 000009